(57)【特許請求の範囲】
【請求項１】
紙管の下端にその紙管を起立保持する基台を固着してなる玩具花火において、次の(1)〜(4)の要件を具備してなることを特徴とする玩具花火構造。
(1) 前記基台を、板紙を複数枚重ねて貼り合わせた積層構造にする。
(2) 前記基台の板紙に、上の一枚目から適当枚数を前記紙管の下端形状に合わせた形に打ち抜き、以て基台に上向き開口状の大きい凹部を形成する。
(3) 前記大きい凹部の底を構成する板紙又はそこから下の板紙を適当枚数打ち抜いて小さい凹部を複数個形成する。
(4) 前記基台の小さい凹部に花火部材を複数本立設すると共に大きい凹部にカバー用の紙管を嵌め込んで前記花火部材の回りを囲う。
【発明の詳細な説明】
【０００１】
【産業上の利用分野】
本発明は、噴出玩具花火や打ち上げ玩具花火などに適用する玩具花火構造に関する。
【０００２】
【従来の技術】
噴出玩具花火や打ち上げ玩具花火には、紙管の下端に転倒防止用の基台を設置する場合がある。従来この基台は、合成樹脂で作られており、その上面に形成した凹部に紙管端部を嵌め込んで固着するようにしていた。
【０００３】
【発明が解決しようとする課題】
基台を合成樹脂で作るには成型用の金型が必要である。金型は高価であるから、異なるデザインの基台を多品種作ったり、短期間で基台のデザインを変更しようとすると相当コストが嵩む。そのため、従来は、一旦製品化した基台をそのままの形態で長期間延々と使い続ける傾向にあり、そのことが玩具花火のデザインを硬直化させる一因になっていた。
【０００４】
また、紙管の下端に合成樹脂製の基台を固着した玩具花火は、紙と合成樹脂の複合体であるから、使用後、ゴミとなった場合の処分が難しい問題点もあった。
【０００５】
本発明は、上記に鑑みなされたもので、その目的は、実施までに要する基台の製造コストを大幅に削減することが可能で、しかも使用後のゴミ処理が容易に行える玩具花火構造を提供することにある。
【０００６】
【課題を解決するための手段】
紙管の下端にその紙管を起立保持する基台を固着してなる玩具花火において、次の(1)〜(4)の要件を具備してなる玩具花火構造を提供する。
(1) 前記基台を、板紙を複数枚重ねて貼り合わせた積層構造にする。
(2) 前記基台の板紙に、上の一枚目から適当枚数を前記紙管の下端形状に合わせた形に打ち抜き、以て基台に上向き開口状の大きい凹部を形成する。
(3) 前記大きい凹部の底を構成する板紙又はそこから下の板紙を適当枚数打ち抜いて小さい凹部を複数個形成する。
(4) 前記基台の小さい凹部に花火部材を複数本立設すると共に大きい凹部にカバー用の紙管を嵌め込んで前記花火部材の回りを囲う。
【０００７】
【作用】
基台は、板紙を適宜な形状に切って複数枚を貼り合わせて形成するから、成形に際して高価な金型が不要であり、従って、実施までに要する基台の製造コストが大幅に削減される。また、紙管と基台が全部紙製であるため、玩具花火を使用した後、可燃ゴミとして焼却することができる。
【０００８】
また、基台は板紙の積層構造であるため、上の一枚目から適当な深さで大きい凹部を形成し、その大きい凹部の底を構成する板紙又はそこから下の板紙を適当枚数打ち抜いて小さい凹部を複数個形成するようにすることができる。そして、小さい凹部を使って基台上に花火部材を複数本立設し、さらにその花火部材の周りを囲うように大きい紙管を基台上に立設するようにすれば、組み合わせ型の玩具花火が簡単に製造できる。
【０００９】
【実施例】
以下に本発明の実施例を図面を参照しつつ説明する。なお、図１は玩具花火の縦断正面図、図２は図１のＡ−Ａ線断面図、図３は基台の分解斜視図である。
【００１０】
図示した玩具花火１は、二本の花火部材２と、その花火部材２の周りを囲うカバー用の紙管３ａ（以下カバー紙管という。）と、前記カバー紙管３ａと花火部材２の紙管３ｂとを起立保持する基台４と、から構成される組み合わせ型のものである。花火部材２は、単品で販売される玩具花火とほぼ同じ構造であって、紙管３ｂの中に火薬を充填してなる。一方、カバー紙管３ａは、外周に装飾用の模様紙（図示せず）を貼着してなる。
【００１１】
前記基台４は、図３に示したように、板紙４ａ〜４ｅを複数枚重ねて貼り合わせた積層構造である。上の一枚目の板紙４ａと二枚目の板紙４ｂには前記カバー紙管３ａの下端形状に合わせた円形の透孔６ａがパンチングされている。従って、板紙４ａ〜４ｃを重ねて貼り合わせることでカバー紙管３ａのための上向き開口状の凹部７ａができる。また、三枚目の板紙４ｃと四枚目の板紙４ｄには前記花火部材２の紙管３ｂの下端形状に合わせた円形の透孔６ｂが二個パンチングされている。従って、板紙４ｃ〜４ｅを重ねて貼り合わせることで花火部材２の紙管３ｂのための上向き開口状の小さい凹部７ｂが二個できる。而して、全板紙４ａ〜４ｅを重ねて貼り合わせることで、カバー紙管３ａのための凹部７ａの中にさらに花火部材２の紙管３ｂのための凹部７ｂが形成された基台４ができる。なお、板紙４ａ〜４ｅの貼り合わせは、適当な接着剤を重合面に塗布して全板紙４ａ〜４ｅを重ね合わせ、それを加圧状態にして乾燥させればよい。また、例えば、板紙４ａ〜４ｅを異なる色に予め着色しておけば、基台４の側面に色違いの縞模様を形成することができる。
【００１２】
玩具花火１の各構成部品は以上のように構成されているため、先ず、基台４の小さい凹部７ｂに花火部材２の紙管３ｂを嵌め込んで接着した後、大きい凹部７ａにカバー紙管３ａを嵌合して接着すればよい。
【００１３】
以上本発明を実施例について説明したが、もちろん本発明は上記実施例に限定されるものではない。例えば、凹部７ａ，７ｂの数や深さは必要に応じて適宜決定すればよい。また、基台４を構成する板紙の枚数も任意でよい。また、実施例は、板紙を貼り合わせる前に凹部形成用の透孔をパンチングするようにしたが、全板紙を貼り合わせてから凹部を刳り貫くようにしてもよい。また、板紙は全部の外形を同じに揃える必要はなく、異なる外形形状のものを積み重ねることもできる。そうすることにより、例えば円錐台形など基台の側面にも変化があるような立体形状ができる。
【００１４】
【発明の効果】
本発明の玩具花火構造は、板紙を複数枚貼り合わせて基台を形成するようにしたため、基台成形用の高価な金型が不要である。従って、新しい基台をデザインして実施までに要する初期の製造コストが大幅に削減できるため、少ない投資で玩具花火のデザインに多くのバリエーションを持たせることができる。例えば、恐竜ブームに合わせて基台を恐竜の足型にデザインする、など、流行を敏感に反映させた玩具花火の製造が低コストでできる。また、紙管と基台が全部紙製であるため、玩具花火を使用した後、可燃ゴミとして簡単に焼却し得る。
【００１５】
また、基台は板紙の積層構造であるため、上の一枚目から適当な深さで大きい凹部を形成し、その大きい凹部の底を構成する板紙又はそこから下の板紙を適当枚数打ち抜いて小さい凹部を複数個形成するようにすれば、小さい凹部を使って基台上に花火部材を複数本立設し、さらにその花火部材の周りを囲うような格好でカバー紙管を立設することができる。従って、組み合わせ型の玩具花火でも簡単に製造することができる、などの優れた効果がある。
【図面の簡単な説明】
【図１】玩具花火の縦断正面図である。
【図２】図１のＡ−Ａ線断面図である。
【図３】基台の分解斜視図である。
【符号の説明】
１        …玩具花火
３ａ，３ｂ…紙管
４        …基台
４ａ〜４ｅ…板紙
７ａ，７ｂ…凹部
【図１】
0003620869.tif 000002
【図２】
0003620869.tif 000003
【図３】
0003620869.tif 000004